(57)【要約】【課題】放熱効率を向上させることが可能な静電霧化装置を提供する。【解決手段】霧化電極部１１と、霧化電極部１１と対向する対向電極部１３と、霧化電極部１１を冷却するための熱交換部１２とを備え、霧化電極部１１及び対向電極部１３間への高電圧の印加により霧化電極部１１に結露した水を霧化させる静電霧化装置１０であって、対向電極部１３は、熱交換部１２に接続されて霧化電極部１１の冷却により生じた熱を放熱するための放熱手段を構成する。【選択図】図１
2011036735.tif 000002
【特許請求の範囲】
【請求項１】
霧化電極部と、前記霧化電極部と対向する対向電極部と、前記霧化電極部を冷却するための熱交換部とを備え、前記霧化電極部及び前記対向電極部間への高電圧の印加により前記霧化電極部に結露した水を霧化させる静電霧化装置であって、
前記対向電極部は、前記熱交換部に接続されて前記霧化電極部の冷却により生じた熱を放熱するための放熱手段を構成することを特徴とする静電霧化装置。
【請求項２】
請求項１に記載の静電霧化装置において、
前記対向電極部の外面には、凹凸部が形成されたことを特徴とする静電霧化装置。
【発明の詳細な説明】
【技術分野】
【０００１】
本発明は、静電霧化現象によりナノメータサイズのイオンミストを発生させる静電霧化装置に関するものである。
【背景技術】
【０００２】
従来、静電霧化装置において、霧化電極部と、霧化電極部と対向する対向電極部と、霧化電極部を冷却するための熱交換部とを備え、霧化電極部及び対向電極部間への高電圧の印加により霧化電極部に結露した水を霧化させるものが知られている（例えば特許文献１の図４参照）。特許文献中の図４に示すように、熱交換部はその吸熱側が霧化電極部と接続され、放熱側が放熱手段としての筐体と接続されており、その筐体の外側に対向電極部が設けられている。このような静電霧化装置は、例えば空調装置やドライヤー等に設けられており、静電霧化装置の対向電極部はファン等の空気流に晒され、発生したイオンミストがその空気流によって飛散するようになっている。
【先行技術文献】
【特許文献】
【０００３】
【特許文献１】特開２００８−１５５１４４号公報
【発明の概要】
【発明が解決しようとする課題】
【０００４】
しかしながら、上記のような静電霧化装置では、放熱手段としての筐体が対向電極部の内側に配置されていることもあり、放熱効率の点で改善の余地を残すものとなっている。
本発明は、上記課題を解決するためになされたものであって、その目的は、放熱効率を向上させることが可能な静電霧化装置を提供することにある。
【課題を解決するための手段】
【０００５】
上記課題を解決するために、請求項１に記載の発明は、霧化電極部と、前記霧化電極部と対向する対向電極部と、前記霧化電極部を冷却するための熱交換部とを備え、前記霧化電極部及び前記対向電極部間への高電圧の印加により前記霧化電極部に結露した水を霧化させる静電霧化装置であって、前記対向電極部は、前記熱交換部に接続されて前記霧化電極部の冷却により生じた熱を放熱するための放熱手段を構成することを特徴とする。
【０００６】
この発明では、霧化電極部の冷却時に熱交換部に生じた熱を放出するための放熱手段が、霧化電極部と対向する対向電極部にて構成される。対向電極部は、霧化された水を飛散させるための空気流に晒されるように構成されることが一般的であり、この対向電極部を放熱手段とすることで放熱効率を向上させることが可能となる。
【０００７】
請求項２に記載の発明は、請求項１に記載の静電霧化装置において、前記対向電極部の外面には、凹凸部が形成されたことを特徴とする。
この発明では、対向電極部の大型化を抑えつつ表面積を増加させることが可能となる。
【発明の効果】
【０００８】
従って、上記記載の発明によれば、放熱効率を向上させることが可能となる。
【図面の簡単な説明】
【０００９】
【図１】本実施形態の静電霧化装置の模式図。
【発明を実施するための形態】
【００１０】
以下、本発明を具体化した一実施形態を図面に従って説明する。
図１に示すように、本実施形態の静電霧化装置１０は、霧化電極部１１と、霧化電極部１１を冷却するための熱交換部１２と、霧化電極部１１と対向する対向電極部１３とを備えている。霧化電極部１１は、図１の上下に延びる棒状をなしており、先端部（上端部）が開放端で、基端部（下端部）が熱交換部１２と接続されている。
【００１１】
熱交換部１２は、例えばペルチェ素子からなり、霧化電極部１１と接続された吸熱部２１と、吸熱部２１が受け取った熱を放出するための放熱部２２とを備えている。熱交換部１２は、図示しない駆動手段により駆動されると、霧化電極部１１から熱を吸収し、その熱を放熱部２２に放出するようになっている。
【００１２】
対向電極部１３は、霧化電極部１１と軸方向（図１における上下方向）に対向する対向電極３１と、その対向電極３１を支持するためのベース部３２とを備えている。ベース部３２は、熱交換部１２の放熱部２２と接続された底部３２ａと、底部３２ａから上方（霧化電極部１１側）に延びる側部３２ｂとを有している。ベース部３２は、放熱部２２の熱を放出するための熱伝達路を構成している。尚、このベース部３２には熱伝導性の高い金属材料を用いるのが望ましい。また、ベース部３２の側部３２ｂの外面（霧化電極部１１とは反対側の面）には、並列された複数の突起３３ａからなる凹凸部３３が形成されている。これにより、側部３２ｂを含むベース部３２の大型化を抑えつつも表面積を増加させることが可能となっている。
【００１３】
側部３２ｂの上端部には、前記対向電極３１が絶縁材３４を介して固定されている。絶縁材３４は、対向電極３１とベース部３２の側部３２ｂとを電気的に絶縁するためのものである。対向電極３１は、例えばステンレス等の鋼からなり、霧化電極部１１の軸線上の位置に貫通孔３１ａを有している。この対向電極３１と霧化電極部１１には、高電圧印加部４０が電気的に接続されている。
【００１４】
このような静電霧化装置１０では、熱交換部１２の駆動により霧化電極部１１が冷却され、霧化電極部１１の表面に結露した水（図示略）が付着する。このとき、高電圧印加部４０にて霧化電極部１１と対向電極３１との間に高電圧が印加され、霧化電極部１１に結露した水が静電霧化されてイオンミストが発生する。このような静電霧化装置１０を、例えば空調装置やドライヤー等に設けた場合、図示しないファン等の空気流が対向電極３１付近を通り、対向電極３１の貫通孔３１ａから上昇するイオンミストを飛散させるようになっている。
【００１５】
熱交換部１２の駆動により放熱部２２から放出される熱は、対向電極部１３のベース部３２の底部３２ａから側部３２ｂへと伝わり、絶縁材３４を介して対向電極３１まで伝わる（図１中の矢印参照）。そして、この対向電極部１３全体に伝わった熱は空気中に放熱される。このように、本実施形態の静電霧化装置１０では、ファン等の空気流に晒される対向電極部１３が熱交換部１２の放熱部２２に接続されて霧化電極部１１の冷却により生じた熱を放熱するための放熱手段を構成しているため、放熱効率を向上させることが可能となっている。また、霧化電極部１１と対向されてイオンミストの生成手段を構成する対向電極部１３が放熱手段を兼ねているため、部材点数の増加が抑えられている。
【００１６】
次に、本実施形態の特徴的な作用効果を記載する。
（１）本実施形態では、対向電極部１３が熱交換部１２に接続されて霧化電極部１１の冷却により生じた熱を放熱するための放熱手段を構成する。対向電極部１３は、霧化された水を飛散させるための空気流に晒されるように構成されることが一般的であり、この対向電極部１３を放熱手段とすることで放熱効率を向上させることが可能となる。
【００１７】
（２）本実施形態では、対向電極部１３の外面には凹凸部３３が形成されるため、対向電極部１３の大型化を抑えつつ表面積を増加させることが可能となる。
尚、本発明の実施形態は、以下のように変更してもよい。
【００１８】
・上記実施形態では、対向電極部１３の凹凸部３３はベース部３２の側部３２ｂに形成されたが、これ以外に例えば、ベース部３２の底部３２ａや対向電極３１に形成してもよい。また、対向電極部１３が凹凸部３３を有しない構成としてもよい。
【００１９】
・上記実施形態では、絶縁材３４はベース部３２の側部３２ｂと対向電極３１との間に介在されたが、特にこれに限定されるものではなく、例えば、ベース部３２の側部３２ｂと底部３２ａとの間に介在させてもよい。
【００２０】
・上記実施形態では、対向電極３１とベース部３２の側部３２ｂとを別体で構成したが、同一部材として構成してもよい。
・上記実施形態において、ベース部３２の側部３２ｂを霧化電極部１１の周囲を囲むように構成してもよい。
【００２１】
・上記実施形態では、凹凸部３３を複数の突起３３ａから構成したが、これに特に限定されるものではなく、凹凸部３３の形状を構成に応じて適宜変更してもよい。
【符号の説明】
【００２２】
１０…静電霧化装置、１１…霧化電極部、１２…熱交換部、１３…対向電極部、３３…凹凸部。
【図１】
2011036735.tif 000003